(57)【要約】【課題】パネルの操作キーや表示部の配置される面積を大きくすることができ、しかも、パネル前面方向から音の高音域および低音域を十分に聞き取ることができるスピーカの取付けられる筐体の構造を提供する。【解決手段】パネル２が筐体１前面の垂直面または傾斜面に設けられ、スピーカが５筐体１の天面１ａに取付けられる筐体１において、筐体１のスピーカ５取付面にパネル２と平行に延びるスリット３を設け、スリット３のパネル２の方向に対する後縁からパネル２側に向けて上方向に傾斜したフラップ４を突出するように形成した。【選択図】　　　　図２
2004015149.tif 000002
【特許請求の範囲】
【請求項１】
パネルが筐体前面の垂直面または傾斜面に設けられ、スピーカが筐体の天面に取付けられる筐体において、筐体のスピーカ取付面に前記パネルと平行に延びるスリットを設け、前記スリットの前記パネルの方向に対する後縁からパネル側に向けて上方向に傾斜したフラップを突出するように形成したことを特徴とするスピーカの取付けられる筐体の構造。
【請求項２】
前記フラップが３個または４個対向して並ぶように形成された請求項１のスピーカの取付けられる筐体の構造。
【請求項３】
前記フラップの天面に対する傾斜角を１５°から２０°の範囲とした請求項１または２のスピーカの取付けられる筐体の構造。
【請求項４】
前記スリットを筐体の天面に設けた凹みに形成し前記フラップの先端が筐体の天面の最大高さより高くならないように構成した請求項１から３のいずれかに記載されたスピーカの取付けられる筐体の構造。
【請求項５】
前記スリットの形成された部分を前記筐体に着脱自在に構成した請求項４のスピーカの取付けられる筐体の構造。
【請求項６】
無線機の筐体における請求項１から５のいずれかに記載されたスピーカの取付けられる筐体の構造。
【発明の詳細な説明】
【０００１】
【発明の属する技術分野】
この発明はスピーカの取付けられる筐体の構造に係わり、特に、スピーカが筐体の天面に取付けられる筐体の構造に関する。
【０００２】
【従来の技術】
図６および図７に従来の無線機の筐体の構造を示す。図に示す筐体１の前面にはパネル２が取付けられており、筐体１の天面１ａには穴１ｂ、１ｂ…が設けられ、その背後にスピーカ５が取付けられている。
【０００３】
この構造ではパネル２にスピーカが取付けられていないので、パネル２の操作キーや表示部の配置される面積を大きくすることができ、視認性や操作性がよくなる。しかしながら、スピーカ５の放射面が上方に向いているため、音は主として上方に放射される。すなわち、図７の矢印Ａの方向には主として高指向性の高音域および低指向性の低音域の音が放射される。低指向性の低音域の音は回折により矢印Ｂ方向のパネル前面方向にも相当の音量が放射されるが高指向性の高音域の音は矢印Ｂには僅かしか放射されない。
【０００４】
このようにして使用者のいるパネル前面方向の高音域の音の音圧レベルは小さくなる。音の高音域は音声の判別に重要な帯域であり、特に、騒音のある環境でこの帯域が聞こえない場合、音声がノイズの影響で識別できなくなるという問題があった。
【０００５】
図８に示す従来の無線機の構造では、筐体１の前面に配置されるパネル２にスリット２ａ、２ａ…が設けられ、スリット２ａ、２ａ…の背後にスピーカが取付けられる。この例ではスピーカの音の放射方向がパネル２の前方に向くので使用者は音の高音域および低音域を十分に聞き取ることができる。しかしながらパネル２にスピーカを配置する面が必要となるので、操作キーや表示部の配置される面積を大きくすることができないという問題があった。
【０００６】
【発明が解決しようとする課題】
この発明は上記した点に鑑みてなされたものであって、その目的とするところは、パネルの操作キーや表示部の配置される面積を大きくすることができ、しかも、パネル前面方向から音の高音域および低音域を十分に聞き取ることができるスピーカの取付けられる筐体の構造を提供することにある。
【０００７】
【課題を解決するための手段】
この発明のスピーカの取付けられる筐体の構造は、パネルが筐体前面の垂直面または傾斜面に設けられ、スピーカが筐体の天面に取付けられる筐体において、筐体のスピーカ取付面に前記パネルと平行に延びるスリットを設け、前記スリットの前記パネルの方向に対する後縁からパネル側に向けて上方向に傾斜したフラップを突出するように形成したものである。
【０００８】
また、前記スピーカの取付けられる筐体の構造において、前記フラップが３個または４個対向して並ぶように形成されたものである。
【０００９】
また、前記各スピーカの取付けられる筐体の構造において、前記フラップの天面に対する傾斜角を１５°から２０°の範囲としたものである。
【００１０】
また、前記各スピーカの取付けられる筐体の構造において、前記スリットを筐体の天面に設けた凹みに形成し前記フラップの先端が筐体の天面の最大高さより高くならないように構成したものである。
【００１１】
また、前記スピーカの取付けられる筐体の構造において、前記スリットの形成された部分を前記筐体に着脱自在に構成したものである。
【００１２】
また、無線機の筐体に前記各スピーカの取付けられる筐体の構造を適用したものであるものである。
【００１３】
【発明の実施の形態】
この発明の実施例を図面に基づいて説明する。図１はこの発明の第１の実施例である無線機の筐体の構造を示す斜視図、図２は同筐体の構造を示す断面図である。図に示す筐体１の前面にはパネル２が取付けられており、筐体１の天面１ａにはスリット３、３…が設けられ、スリット３、３…の背後にスピーカ５が取付けられている。
【００１４】
スリット３、３…のパネル２に対する後縁にはパネル２側に傾斜して延びるフラップ４、４…が形成されている。パネル２にスピーカが取付けられていないので、パネル２の操作キーや表示部の配置される面積を大きくすることができ、視認性や操作性がよくなる。
【００１５】
スピーカ５から放射される指向性の高い高音域の音はフラップ４、４…に反射されて図２の点線で示す矢印の方向に放射される。また、指向性の低い中低音域の音は回折により実線示す矢印の方向に放射される。すなわち、パネル前面にいる使用者の方向に高音域および低音域の音が放射されるので騒音のある環境においても音声を識別しやすい。
【００１６】
図３はこの発明の第２の実施例である無線機の筐体の構造を示す斜視図、図４は同筐体の構造を示す断面図である。図に示す筐体１の前面にはパネル２が取付けられており、筐体１の天面には着脱プレート６が取付けられている。
【００１７】
着脱プレート６には凹みが形成されており、その凹み面にスリット６ａ、６ａ…が設けられ、スリット６ａ、６ａ…のパネル２に対する後縁にはパネル２側に傾斜して延び先端が天面の最大高さより高くないフラップ６ｂ、６ｂ…が形成されている。スリット６ａ、６ａ…の背後にスピーカ５が取付けられている。パネル２にスピーカが取付けられていないので、パネル２の操作キーや表示部の配置される面積を大きくすることができ、視認性や操作性がよくなる。
【００１８】
スピーカ５から放射される指向性の高い高音域の音はフラップ６ｂ、６ｂ…に反射されてパネル２方向に放射される。また、指向性の低い中低音域の音は回折によりパネル２方向に放射される。すなわち、パネル前面にいる使用者の方向に高音域および低音域の音が放射されるので騒音のある環境においても音声を識別しやすい。
【００１９】
この例ではフラップが筐体天面から突出しないので収容場所の限られた車載用無線機に好適である。また、着脱プレート６の取替えも任意に行うことができ、フラップ形状の自由度を高めることができる。
【００２０】
図５にこの発明が適用された筐体構造のフラップが３枚で傾斜角が１５〜２０°の場合のパネル正面から測定した音圧レベル（ｓｐｌ）を示す。実施例の音圧レベルを実線で示し、スピーカが筐体天面に取付けられた従来の例を点線で示している。周波数１〜５ｋＨｚで実施例のものは従来例のものより顕著に音圧レベルが高くなっているのが分かる。なお、フラップが４枚でも同様の効果が得られる。
【００２１】
実施例ではパネルを垂直に形成されているが、パネルは上を向くように傾斜させてもこの発明の効果が得られる。
【００２２】
【発明の効果】
この発明のスピーカの取付けられる筐体の構造によれば、パネルの操作キーや表示部の配置される面積を大きくすることができ、しかも、パネル前面方向から音の高音域および低音域を十分に聞き取ることができる。
【００２３】
従って、特に、無線機に適用した場合明瞭な話音を聞くことができ、通信がしやすくなる。
【図面の簡単な説明】
【図１】この発明の第１の実施例である筐体の構造を示す斜視図である。
【図２】同筐体の構造を示す断面図である。
【図３】この発明の第２の実施例である筐体の構造を示す斜視図である。
【図４】同筐体の構造を示す断面図である。
【図５】この発明の実施例と従来例のスピーカ放射音の音圧レベルの周波数特性を比較して示すグラフである。
【図６】従来の無線機の例を示す斜視図である。
【図７】同無線機を示す断面図である。
【図８】従来の無線機の他の例を示す斜視図である。
【符号の説明】
１　筐体、１ａ　天面、１ｂ　穴
２　パネル、２ａ　スリット
３　スリット
４　フラップ
５　スピーカ
６　着脱プレート、６ａ　スリット、６ｂ　フラップ
【図１】
2004015149.tif 000003
【図２】
2004015149.tif 000004
【図３】
2004015149.tif 000005
【図４】
2004015149.tif 000006
【図５】
2004015149.tif 000007
【図６】
2004015149.tif 000008
【図７】
2004015149.tif 000009
【図８】
2004015149.tif 000010